(57)【特許請求の範囲】
【請求項１】
裏表紙と表表紙とが重合され、一辺において繋がっており、該一辺の一端に、前記裏表紙又は前記表表紙の少なくとも一方とクリップ部とを回動可能に枢着する枢着部を有し、
前記クリップ部は、断面略コの字状であり、前記クリップ部が前記裏表紙と前記表表紙とを挟持する挟持位置に回動した際、該略コの字状部分において、前記裏表紙と、前記表表紙と、該裏表紙と該表表紙との間に添設された書類とを挟み込んで綴じる書類挟みであって、
前記一辺において前記枢着部と対向する端部に、前記裏表紙と前記表表紙とが接合された接合部を有し、前記一辺と前記接合部とが閉塞され、前記一辺と対向する辺が開放された略袋状を形成する書類挟み。
【請求項２】
前記接合部は、前記裏表紙と、前記表表紙と、該裏表紙と該表表紙との間に添設された書類とがクリップ部の間に挟み込まれる位置にあるときに、該クリップ部に覆われる位置に配され、
前記クリップ部において、前記枢着部を有する端部と対向する端部の角であって前記接合部を跨ぐ位置を三角形状に切り欠いた切欠部を有する請求項１に記載の書類挟み。
【請求項３】
前記接合部は、少なくとも前記クリップ部の幅を超えない程度の長さを溶着することにより接合された請求項１又は請求項２に記載の書類挟み。
【発明の詳細な説明】
【技術分野】
【０００１】
この発明は、書類挟みに関し、当該書類挟みの一辺の一端に、裏表紙又は表表紙の少なくとも一方とクリップ部とを回動可能に枢着する枢着部を有し、当該枢着部と対向する一辺の他端に、裏表紙と表表紙とが接合された接合部を設けることで、他端側への書類のずれや、或いは他端側からの書類の抜け落ちを未然に防止することができるようにしたものである。
【背景技術】
【０００２】
従来、裏表紙と表表紙との一端とクリップ部の一端とを枢着し、クリップ部が回動して書類を挟着する位置と開放する位置との間を変位する「書類整理挟み」が知られている（例えば特許文献１及び特許文献２参照）。
また、従来、少なくともクリップ部の一端が三角形状にカットされ、該一端から他端に向けて書類をスライドさせてクリップ部の間に差し込む「綴り具」が知られている（例えば特許文献３参照）。
【０００３】
さらに、従来、クリップ部の両端がアール状に斜めにカットされ、書類等を挟着し易くした「ファイル」が知られている（例えば特許文献４〜６参照）。
【先行技術文献】
【特許文献】
【０００４】
【特許文献１】実公昭６０−２４６０６号公報
【特許文献２】実公昭６０−２４６０７号公報
【特許文献３】実開昭６２−１１４７７８号公報
【特許文献４】実開昭６０−８０９７３号公報
【特許文献５】実開昭６１−１３０４７７号公報
【特許文献６】実開昭６１−１４３８７３号公報
【発明の概要】
【発明が解決しようとする課題】
【０００５】
しかし、上記した従来の「書類整理挟み」（特許文献１及び特許文献２）では、クリップ部を枢着した上側と対向する下側が開放していたので、当該下側に書類がずれてしまうことがあるという問題点があった。
【０００６】
また、上記した従来の「綴り具」（特許文献３）も、上述した従来の「書類整理挟み」と同様に、下側が開放していたので、当該下側に書類がずれてしまうことがあるという問題点があった。
【０００７】
なお、上記した従来の「綴り具」には、上側に三角形状にカットされた部分があるが、当該カットされた部分は、クリップ部の一端から他端に向けて書類をスライドさせる際にクリップ部に角があると差し込み難いという課題を解決するためのものであって、本発明の構成においてこの課題は存在しない。
【０００８】
さらに、上記した従来の「ファイル」（特許文献４〜６）も、上述した従来の「書類整理挟み」や「綴り具」と同様に、下側が開放していたので、当該下側に書類がずれてしまうことがあるという問題点があった。
【０００９】
なお、上記した従来の「ファイル」も、上記した従来の「綴り具」と同様に、上側に三角形状にカットされた部分があるが、当該カットされた部分は、クリップ部の一端から他端に向けて書類をスライドさせる際にクリップ部に角があると差し込み難いという課題を解決するためのものであって、本発明の構成においてこの課題は存在しない。
【００１０】
そこで、本発明は、上記した従来の技術の有する問題点に鑑みてなされたものであり、その目的とするところは、書類挟みの一辺の一端に、裏表紙又は表表紙の少なくとも一方とクリップ部とを回動可能に枢着する枢着部を有し、当該枢着部と対向する一辺の他端に、裏表紙と表表紙とが接合された接合部を設けることで、他端側への書類のずれや、或いは他端側からの書類の抜け落ちを未然に防止することができるようにしたものである。
【００１１】
これに加え、本発明は、接合部を有することで、クリップ部を回動させて挟み込む際に該接合部とクリップ部の角（枢着部と反対側）とが接触して引っかかるという課題がある。これを解決すべく、本発明では、クリップ部の角に切り欠き部を設けたものである。
【課題を解決するための手段】
【００１２】
裏表紙と表表紙とが重合され、一辺において繋がっており、該一辺の一端に、前記裏表紙又は前記表表紙の少なくとも一方とクリップ部とを回動可能に枢着する枢着部を有し、前記クリップ部は、断面略コの字状であり、前記クリップ部が前記裏表紙と前記表表紙とを挟持する挟持位置に回動した際、該略コの字状部分において、前記裏表紙と、前記表表紙と、該裏表紙と該表表紙との間に添設された書類とを挟み込んで綴じる書類挟みであって、前記一辺において前記枢着部と対向する端部に、前記裏表紙と前記表表紙とが接合された接合部を有し、前記一辺と前記接合部とが閉塞され、前記一辺と対向する辺が開放された略袋状を形成する。また、該枢着部が閉塞されていても良い。
【００１３】
前記接合部は、前記裏表紙と、前記表表紙と、該裏表紙と該表表紙との間に添設された書類とがクリップ部の間に挟み込まれる位置にあるときに、該クリップ部に覆われる位置に配され、
前記クリップ部において、前記枢着部を有する端部と対向する端部の角であって前記接合部を跨ぐ位置を三角形状に切り欠いた切り欠き部を有する。
前記接合部は、少なくとも前記クリップ部の幅を超えない程度の長さを溶着することにより接合された。
【００１４】
前記接合部は、前記枢着部と対向する端部を前記一辺において折り曲げることにより接合された。
【発明の効果】
【００１５】
本発明は、以上のように構成されているので、以下に記載されるような効果を奏する。
すなわち、本発明によれば、接合部側への書類のずれや、或いは接合部からの書類の抜け落ちを未然に防止することができる。
【００１６】
本発明によれば、クリップ部に設けた切欠部により、クリップ部を回動させて書類を挟む際に接合部に接触するのを避けることができる利点がある。
【００１７】
本発明によれば、接合部がクリップ部の幅を超えない程度の長さを溶着することにより接合されていることから、クリップ部を回動させて書類を挟む際に、当該クリップ部により接合部を隠すことができる利点がある。
【００１８】
【図面の簡単な説明】
【００１９】
【図１】書類挟みの分解斜視図である。
【図２】書類挟みの平面図である。
【図３】書類挟みの側面図である。
【図４】ファイル本体の枢着部を説明するための一部展開図である。
【図５】クリップ部の切断部を説明するための一部拡大図である。
【図６】ファイル本体の接合部を説明するための一部展開図である。
【図７】クリップ部の切欠部を説明するための一部拡大図である。
【図８】書類挟みの枢着部を説明するための一部拡大図である。
【発明を実施するための形態】
【００２０】
（書類挟み10）
図１〜３中、10は、書類挟みであって、書類挟み10は、裏表紙50と表表紙60との間に、図示しないが、書類を挟み、裏表紙50と表表紙60とをクリップ部30で弾性的に挟み持つことで、裏表紙50と表表紙60との間に挟んだ書類（図示せず）を保持できるようにしたものである。
【００２１】
裏表紙50と表表紙60とから構成されるファイル本体20の一辺21の一端部には、クリップ部30が枢着され、当該枢着部23を中心にクリップ部30を回動させることで、クリップ部30の着脱を可能としている。
【００２２】
具体的には、書類挟み10は、図１〜３に示すように、大別すると、次のパーツを備える。
なお、次の（１）〜（３）については、後述する。
（１）ファイル本体20
（２）クリップ部30
（３）ピン40
なお、書類挟み10のパーツは、上記した（１）〜（３）に限定されない。
【００２３】
（ファイル本体20）
ファイル本体20は、図１〜３に示すように、裏表紙50と表表紙60とが重合され、一辺21において繋がっている。
【００２４】
裏表紙50と表表紙60とは、例えば１枚の透明なビニールシート等から構成され、当該ビニールシートを一辺21において二つ折りにして形成している。
なお、裏表紙50と表表紙60とを、１枚のビニールシートを二つ折りにして形成したが、これに限定されず、２枚のシートを一辺21において溶着して形成しても良い。また、２枚のシートからファイル本体20を構成する場合には、２枚のシートの材質を変更したり、或いは２枚のシートの色を変化させたりしても良い。例えば、裏表紙50として、ポリプロピレン等を使用し、表表紙60としてビニールシートを使用しても良い。また、裏表紙50を、非透明或いは半透明とし、表表紙60を透明或いは半透明としても良い。
【００２５】
具体的には、ファイル本体20には、図１〜３に示すように、大別すると、次の各部を有する。
なお、次の（１）及び（２）については、後述する。
（１）枢着部23
（２）接合部24
なお、ファイル本体20の各部は、上記した（１）及び（２）に限定されない。
【００２６】
（クリップ部30）
クリップ部30は、図１〜３及び図８に示すように、断面略コの字状であり、裏表紙50と表表紙60とを弾性的に挟持するものである。クリップ部30は、弾性を有する硬質プラスチックにより一体的に形成されている。
【００２７】
具体的には、クリップ部30は、ファイル本体20の一辺21とほぼ同じ全長を有する。
【００２８】
クリップ部30には、図１〜３、図５、図７及び図８に示すように、次の各部を備える。
なお、クリップ部30の各部は、次の（１）〜（６）に限定されない。
（１）開口部31
開口部31は、図８に示すように、クリップ部30が枢着部23に枢着された状態で、ファイル本体20の一辺21と対向する側に位置し、クリップ部30の全長にわたってスリット状に形成されている。開口部31の開口幅は、裏表紙50と表表紙60との厚みの合計以下に設定されている。
【００２９】
（２）挟持部32,33
挟持部32,33は、図８に示すように、一対形成され、開口部31を挟んでクリップ部30の厚み方向に対向するものである。
一対の挟持部32,33のうち、一方の挟持部32の開口部31側は、裏表紙50の外面に当接し、他方の挟持部33の開口部31側は、表表紙60の外面に当接する。
【００３０】
（３）連結部34
連結部34は、図８に示すように、開口部31と反対側の端部に位置し、一対の挟持片31,32をクリップ部30の全長にわたって連結するものである。
【００３１】
（４）切断部35
切断部35は、図５に示すように、枢着部23に位置し、表表紙60の外面に当接する挟持部33を、略扇形に切断したものである。切断部35があることにより、裏表紙50又は表表紙60とクリップ部30とを回動させる際に挟持部33が後述するピン40と接触しなくなるとともに、クリップ部30が非挟持状態にあるときに表表紙60を開く際に、挟持部33と表表紙60とが接触しなくなるため、表表紙60を開き易くしている。
【００３２】
（５）貫通孔36
貫通孔36は、図５及び図８に示すように、後述するピン40が通るものであり、裏表紙50の外面に当接する挟持部32の表裏面に貫通し、円形に形成されている。
【００３３】
（６）切欠部37
クリップ部30には、図１、図２及び図７に示すように、枢着部23を有する端部と対向する端部の角であって、後述する接合部24を跨ぐ位置を三角形状に切り欠いた切欠部31を有する。具体的には、切欠部37は、一対の挟持部32,33の自由端側の端部をそれぞれ切り欠いて形成している。
【００３４】
（ピン40）
ピン40は、図２及び図８に示すように、ファイル本体20の後述する枢着部23に位置し、裏表紙50と表表紙60とクリップ部30とを回動可能に枢着するものである。
具体的には、ピン40は、裏表紙50と表表紙60とクリップ部30とに一連に貫通する。
【００３５】
（枢着部23）
枢着部23は、図１、図２及び図８に示すように、ファイル本体20の一辺21の一端、例えば図１において上端部に位置し、裏表紙50と表表紙60とクリップ部30とに一連に通したピン40を介して、ファイル本体20に対してクリップ部30を回動可能に枢着するものである。
【００３６】
具体的には、裏表紙50と表表紙60とクリップ部30とには、図４及び図５に示すように、ピン40が通る貫通孔36,51,61をそれぞれ形成している。
すなわち、裏表紙50には、図４に示すように、表裏面に貫通する円形の貫通孔51を形成している。
【００３７】
表表紙60には、図４（ａ）及び図４（ｂ）に示すように、一辺21において二つ折りにして裏表紙50に重合した際に、裏表紙50の貫通孔51と連通するとともに、表表紙60の表裏面に貫通し、裏表紙50の貫通孔51と同形、すなわち円形の貫通孔61を形成している。また、表表紙60には、貫通孔61を有する部分を切り離すＬ字形の切断部62を設け、裏表紙50に対して表表紙60を開く際に、表表紙の切断部62を隔てた貫通孔61側は表表紙の他の部分とは連動せずに裏表紙50とピン40とに当接した状態を保つ。このため、ピン40の干渉を受けずに表表紙60を開くことができる。図４（ａ）は表表紙の切断部62を隔てた貫通孔61側と表表紙の他の部分とが連動した状態を、図４（ｂ）は表表紙の切断部62を隔てた貫通孔61側が表表紙の他の部分とは連動せずに裏表紙50に当接した状態を、それぞれ示す。また、図４（ｃ）に示すように、切断部62を隔てた裏表紙50側が切り欠かれ、当該部位においては表表紙60と裏表紙50とが繋がらず、表表紙60には枢着部23を有さない構成としても良い。
【００３８】
ピン40は、図８に示すように、貫通孔36,51,61の内径以下の外径を有する円柱形の軸部と、当該軸部の両端部に位置し、貫通孔36,51,61の内径より大きな外形を有する円盤形の一対の頭部とを有する。ピン40の軸部を、貫通孔36,51,61に通し、大径の頭部により抜け止めしている。
【００３９】
（接合部24）
接合部24は、図１、図２、図６及び図７に示すように、ファイル本体20の一辺21において枢着部23と対向する端部、例えば図１において下端部に位置し、裏表紙50と表表紙60とを接合するものである。すなわち、ファイル本体20は、一辺21と接合部24とが閉塞され、一辺21と対向する対向辺22が開放された略袋状を形成される。また、ピン40が貫通孔51と貫通孔61とに貫通していて、且つ表表紙60に切断部62を設けず、枢着部23が閉塞されていても良い。
【００４０】
また、接合部24は、図２に示すように、表表紙60と、該裏表紙50と該表表紙60との間に添設された書類（図示せず）とがクリップ部30の間に挟み込まれる位置にあるときに、該クリップ部30に覆われる位置に配されている。
すなわち、接合部24は、図１、図６及び図７に示すように、少なくともクリップ部30の幅ａを超えない程度の長さbを溶着することにより接合されている。また、接合部24は、枢着部23と対向する端部を一辺21において折り曲げることにより接合されている。
【００４１】
具体的には、裏表紙50と表表紙60とには、図６に示すように、接合片52,63がそれぞれ形成されている。
裏表紙50の接合片52は、図６に示すように、裏表紙50と表表紙60とに跨り、ファイル本体20の一辺21の下端部から枢着部23に向かって一辺21に沿って延びるセンター切除部26と、当該センター切除部26から一辺21と対向する対向辺22側に離れ、裏表紙50の下端部から上方に向かって延びる略三角形形のサイド切除部53とで左右両側が囲まれた内側に、舌片状に形成されている。接合片52は、その対向辺22側の右側端面からファイル本体20の一辺21迄の距離ｃを、クリップ部30の幅ａ以下に設定している。
【００４２】
表表紙60の接合片63は、図６に示すように、ファイル本体20の一辺21を挟んで裏表紙50の接合片52と線対称に形成されている。すなわち、表表紙60の接合片63は、上述したセンター切除部26と、当該センター切除部26から一辺21と対向する対向辺22側に離れ、表表紙60の下端部から上方に向かって延びる略三角形形のサイド切除部64とで左右両側が囲まれた内側に、舌片状に形成されている。
【００４３】
両接合片52,63は、重合した状態で、その先端部、すなわち下端部を溶着することにより接合される。
【００４４】
（使用方法）
つぎに、上記した構成を備えた書類挟み10の使用方法について説明する。
クリップ部30を、図示しないが、ピン40を中心にファイル本体20の一辺21から離れる方向に回動させ、この取付状態で、裏表紙50と表表紙60との間に書類（図示せず）を挟み込む。
【００４５】
このとき、ファイル本体20は、一辺21と接合部24とが閉塞され、一辺21と対向する対向辺22が開放された略袋状に形成されているので、裏表紙50と表表紙60との間に挟み込んだ書類（図示せず）が、接合部24の有る方向、すなわち下方にずれたり、或いは下方から抜け落ちを未然に防止することができる。
【００４６】
つぎに、クリップ部30を、図２、図３及び図８に示すように、ピン40を中心にファイル本体20の一辺21に接近する方向に回動させる。クリップ部30を回動させると、その開口部31からファイル本体20の一辺21はまり込む。開口部31からファイル本体20の一辺21はまり込むと、クリップ部30の一対の挟持部32,33が互いに離隔する方向に押され、その弾性復元力により、裏表紙50と表表紙60とをクリップ部30で弾性的に挟み持つことで、裏表紙50と表表紙60との間に挟んだ書類（図示せず）を保持する。
【００４７】
また、上述した通り、ファイル本体20は、略袋状に形成されているので、クリップ部30で弾性的に挟み持った状態でも、裏表紙50と表表紙60との間に挟み込んだ書類（図示せず）が、接合部24の有る方向、すなわち下方にずれたり、或いは下方から抜け落ちたりすることを未然に防止することができる。
【符号の説明】
【００４８】
10  書類挟み
20  ファイル本体
21  一辺      22  対向辺
23  枢着部    24  接合部
26  センター切除部
30  クリップ部
31  開口部    32,33 挟持部
34  連結部    35  切断部
36  貫通孔    37  切欠部
40  ピン
50  裏表紙
51  貫通孔    52  接合片
53  サイド切除部
60  表表紙
61  貫通孔    62  切断部
63  接合片    64  サイド切除部
ａ  クリップ部の幅
ｂ  接合部の長さ
【図１】
0005406757.tif 000002
【図２】
0005406757.tif 000003
【図３】
0005406757.tif 000004
【図４】
0005406757.tif 000005
【図５】
0005406757.tif 000006
【図６】
0005406757.tif 000007
【図７】
0005406757.tif 000008
【図８】
0005406757.tif 000009